(57)【要約】【課題】溶着工程を不要とし、通気性部材を吸気装置本体に組み付ける作業が容易で、騒音抑制効果が高く、軽量な吸気装置を提供する。【解決手段】内燃機関に導入される空気の流路４を構成する略筒状の本体６の周壁２の一部に形成され内外を連通する通気口４１と、通気口４１を塞ぐ通気性部材３と、周壁２の開口先端２２にその全周にわたって嵌合された嵌合部１０と通気口４１に対向する内周壁１１に形成され通気性部材３の外周端３１が係合された係合溝１２とを有する弾性部材１とをもつことを特徴とする吸気装置。【選択図】図１
2008240694.tif 000002
【特許請求の範囲】
【請求項１】
内燃機関に導入される空気の流路を構成する略筒状の本体の周壁の少なくとも一部に形成され内外を連通する通気口と、
該通気口を塞ぐ通気性部材と、
前記周壁の開口先端に該開口先端の全周にわたって嵌合された嵌合部と前記通気口に対向する内周壁に形成され前記通気性部材の外周端が係合された係合溝とを有する弾性部材とをもつことを特徴とする吸気装置。
【請求項２】
前記通気口は、前記本体の前記周壁から前記通路の外周方向に突出した突出壁の先端に形成されていることを特徴とする請求項１記載の吸気装置。
【請求項３】
前記突出壁は、突出方向に向かって縮径されたテーパ形状をもつことを特徴とする請求項２記載の吸気装置。
【請求項４】
前記通気性部材の前記通路側の表面は、前記周壁の前記通路側の表面とほぼ同じ高さに位置していることを特徴とする請求項２または請求項３に記載の吸気装置。
【請求項５】
前記弾性部材の前記嵌合部の前記通気口側で前記開口先端に嵌合される嵌合面には、前記開口先端に当接するシールリップが突設されていることを特徴とする請求項１ないし請求項４のいずれか１項に記載の吸気装置。
【発明の詳細な説明】
【技術分野】
【０００１】
本発明は、車両の内燃機関に導入される空気の流路を構成する吸気装置に関する。
【背景技術】
【０００２】
従来、内燃機関に導入される空気の流路を構成する吸気装置としては、吸気ダクト、エアクリーナ、吸気ホース、レゾネータなどが挙げられる。かかる吸気装置には、内燃機関からの吸気脈動圧力によって共鳴が発生し吸気騒音が生じる問題がある。近年、かかる吸気騒音を抑制する吸気装置が開発されている。
【０００３】
例えば、吸気装置のうち吸気脈動圧力が作用する部位の周壁の少なくとも一部分に不織布からなる通気性部材を配設することにより騒音を抑制する方法がある。通気性部材を配設すると、吸気脈動圧力の発生時に通気性部材を介して吸気装置内外への空気の流出入がなされる。吸気装置の周壁の一部が通気性を有することにより、吸気脈動圧力が軽減されて、吸気騒音が低減される。
【０００４】
かかる通気性部材が配設された吸気装置としては、特許文献１に開示されているように、たとえば、図１３に示すように、吸気ダクト本体（９１）の周壁から突出する突出壁（９２０）の外周部を治具（９５）で保持することによって吸気ダクト本体（９１）の変形を防止しつつ、突出壁（９２０）の開口先端のフランジ部（９２１）に通気性部材（９２）を熱溶着することが示されている。図１4に示すように、かかる突出壁（９２０）を有する吸気ダクト本体（９１）を成形するにあたっては、パリソンを成形型内に導入しブロー成形により、吸気ダクト本体（９１）を形成する大筒部（９１０）の一部の周壁を袋状に膨出させて、首部（９３１）とその先端から膨出する頭部（９３２）とを有する袋状の小筒部（９３０）を形成し、切断刃具（９４）で頭部（９３２）を首部（９３１）の近傍で切除する。これにより、先端にフランジ部（９２１）をもつ突出壁（９２０）が形成される。
【０００５】
また、図１５に示すように、特許文献２の図８に開示されたものがある。かかる吸気装置では、空気流路を構成する吸気ダクト本体（９３８）の周壁（９４２）の一部を外方に向かって突出させて突出壁（９４５）を形成し、この突出壁（９４５）の内周部に吸気ダクト本体（９３８）の内外を連通する通気口（９４３）を形成する。突出壁（９４５）には、通気性部材（９５０）をインサート成形した枠状の連結部材（９４８）が固定されて、通気性部材（９５０）により通気口（９４３）を塞いでいる。連結部材（９４８）は、ＰＰまたはＰＥＴを材料として射出成形された樹脂材料である。連結部材（９４８）は、その内周面から内部側に延びる鈎部（９５８）をもち、この鈎部（９５８）が吸気ダクト本体（９３８）の周壁（９４２）に係合されることにより突出壁（９４５）に連結部材（９４８）を固定している。
【０００６】
また、特許文献３の第１図には、吸気ダクト本体（１５）の一部に開口（１４）を設け、この開口周縁の内壁面に通気性部材（１６）を貼着することにより開口（１４）を通気性部材（１６）で被覆することが示されている。
【特許文献１】特開２００１−３２３８５３号公報（図３，図４，図５）
【特許文献２】特開２００４−１２４８７７号公報（図４）
【特許文献３】特開昭６３−２８５２５７号公報（第１図）
【発明の開示】
【発明が解決しようとする課題】
【０００７】
しかしながら、特許文献１では、吸気ダクト本体（９１）に通気性部材（９２）を固定するにあたって、吸気ダクト本体（９１）のフランジ部（９２１）に通気性部材（９２）を溶着する溶着工程を行っている。このため、溶着機や、各部材を所定位置で保持するセット治具などが必要となり、製品コストが高くなる。
【０００８】
また、特許文献１では、突出壁（９２０）の開口先端に通気性部材（９２）を熱溶着する際に、吸気ダクト本体（９１）の変形を抑制するために、突出壁（９２０）の外壁を治具（９５）で保持している。このため、治具を外壁にはめ込む工程が必要となり、また、治具を吸気ダクト本体の横方向にスライド可能な作業スペースを要する。
【０００９】
また、特許文献１では、突出壁（９２０）の開口先端にフランジ部（９２１）が形成されている。このため、フランジ部（９２１）を形成する分の成形材料が多く必要とされ、重量が重くなる。また、フランジ部を成形するにあたっては、小径部よりも大きく膨出した頭部（９３２）を切断除去しなければならず、多くの成形材料が廃棄されてしまう。したがって、製造コストがかかる。
【００１０】
特許文献２では、溶着を行わずに、通気性部材（９５０）をインサートして枠状の連結部材（９４８）を射出成形し、連結部材（９４８）の鈎部（９３８）を吸気ダクト本体（９１）へ係合させることによって、通気性部材（９５０）を吸気ダクト本体（１）に組み付けている。しかし、連結部材（９４８）がＰＰまたはＰＥＴからなる樹脂材料であり、ある程度の剛性がある。このため、車両走行時などに生じる振動によって、連結部材（９４８）が、通気性部材（９５０）や吸気ダクト本体（９１）と干渉して、ガタツキ音が生じる場合があり、騒音抑制効果を低下させる原因となる。
【００１１】
また、特許文献２では、連結部材（９４８）の鈎部（９５８）が吸気ダクト本体（９３８）の周壁から吸気通路側へ突出している。このため、吸気ダクト本体（９３８）を通過する吸気に乱流が発生し、騒音抑制効果を低下させてしまうという問題がある。
【００１２】
特許文献３では、通気性部材（９１６）が吸気ダクト（９１５）の開口（９１４）周縁に貼着されているにすぎず、通気性部材（９１６）と吸気ダクト（９１５）との密着性に劣る。
【００１３】
本発明はかかる事情に鑑みてなされたものであり、溶着工程を不要とし、通気性部材を吸気装置本体に組み付ける作業が容易で、騒音抑制効果が高く、軽量な吸気装置を提供することを目的とする。
【課題を解決するための手段】
【００１４】
上記課題を解決するため、請求項１に係る発明の特徴は、内燃機関に導入される空気の流路を構成する略筒状の本体の周壁の少なくとも一部に形成され内外を連通する通気口と、該通気口を塞ぐ通気性部材と、前記周壁の開口先端に該開口先端の全周にわたって嵌合された嵌合部と前記通気口に対向する内周壁に形成され前記通気性部材の外周端が係合された係合溝とを有する弾性部材とをもつことである。
【００１５】
請求項２に係る発明の特徴は、前記通気口は、前記本体の前記周壁から前記通路の外周方向に突出した突出壁の先端に形成されていることである。
【００１６】
請求項３に係る発明の特徴は、前記突出壁は、突出方向に向かって縮径されたテーパ形状をもつことである。
【００１７】
請求項４に係る発明の特徴は、前記通気性部材の前記通路側の表面は、前記周壁の前記通路側の表面とほぼ同じ高さに位置していることである。
【００１８】
請求項５に係る発明の特徴は、前記弾性部材の前記嵌合部の前記通気口側で前記開口先端に嵌合される嵌合面には、前記開口先端に当接するシールリップが突設されていることである。
【発明の効果】
【００１９】
上記課題を解決するために、請求項１に係る発明によれば、本体の通気口を通気性部材により塞ぐにあたって、本体の周壁の開口先端に弾性部材を嵌合し、弾性部材の通気口に対向する内周壁に通気性部材の外周端を係合している。このため、熱溶着を行うことなく、通気性部材を開口先端に組み付けることができる。したがって、熱溶着機や、熱溶着を行う際に各部材を固定するセット治具も不要となる。また、開口先端への弾性部材の嵌合、弾性部材への通気性部材の係合という簡単な作業によって容易に通気性部材を組み付けることができる。
【００２０】
また、通気口の開口先端と通気性部材との間に弾性を有する弾性部材が介設されることになる。ゆえに、車両走行時などの振動によって、ガタツキ音が生じることはない。また、開口先端や通気性部材に寸法誤差などが生じても、弾性部材が寸法誤差を吸収するため、通気性部材を開口先端に組み付けることができる。
【００２１】
また、本体の開口先端に弾性部材を嵌合し、その弾性部材に通気性部材の外周端を係合させている。このため、本体の開口先端に熱溶着のためのフランジ部を設ける必要がない。従来のようにフランジ部を形成するにあたっては、本体から開口先端のフランジ部形成部分に捨て袋を膨出させ、捨て袋の底部を残して上部を切断除去していた。本発明においては、開口先端にフランジ部を形成する必要がないため、捨て袋の大きさを小さくすることができ、材料コストを抑制できる。
【００２２】
請求項２に係る発明によれば、通気口が、本体の周壁から外周方向に突出した突出壁の開口先端に形成されている。そのため、開口先端から弾性部材が抜け出ることを防止でき、シール面を多くすることができる。
【００２３】
請求項３に係る発明によれば、突出壁が突出方向に向かって縮径されたテーパ形状をもつ。このため、外周側から通気性部材を確実に保持することができ、通気性部材が抜け出ることが抑制される。また、テーパ形状の突出壁を形成するにあたっては、パリソンをブローして、本体成形用の大筒部から、膨出方向に縮径した台形状の小筒部を膨出させればよい。このため、従来のように膨出先端が拡径したキノコ状の突出壁を成形する場合に比べて、突出壁に要される材料が少なくてすみ、材料費用を削減できる。また、大筒部から台形状の小筒部を膨出させた吸気ダクト用成形体には、鋭角状に窪むいわゆるアンダーカット部がない。このため、ブロー成形に用いる分割型の型割の自由度が向上する。
【００２４】
請求項４に係る発明によれば、通気性部材は、本体の周壁と略同一な高さに配設されている。このため、通気性部材を設けた通気口の近傍が略面一な形状となり、吸気の乱流が抑制される。
【００２５】
請求項５に係る発明によれば、弾性部材の嵌合部にシールリップを形成し、シールリップを開口先端の通気口側に嵌合される嵌合面に当接させている。開口先端の嵌合面は弾性部材を介して通気性部材によって通気口の径方向外側に押圧される面である。この嵌合面に対して弾性部材のシールリップを当接させることによって、シールリップが通気性部材によって押圧されて強く嵌合面に押し当てられる。したがって、弾性部材が開口先端に対して嵌合され、開口先端と弾性部材との隙間からの音漏れを抑制できる。
【００２６】
以上のように本発明によれば、溶着工程を不要とし、通気性部材を吸気装置本体に組み付ける作業が容易で、騒音抑制効果が高く、軽量な吸気装置を提供することができる。
【発明を実施するための最良の形態】
【００２７】
本発明において吸気装置とは、吸気ダクト、エアクリーナ、吸気ホース、またはこれらを連結する連結装置等の、内燃機関に導入される空気の流路を構成する装置を総称するものである。吸気装置は、内燃機関に導入される空気の流路を構成する略筒状の本体の少なくとも一部に形成され、周壁の一部に開口し内外を連通する通気口と、通気口を塞ぎ周壁に組みつけられた通気性部材と、周壁の開口先端と通気性部材との間に介設された弾性部材とからなる。
【００２８】
本体は、エンジンルーム内の吸気装置の配置位置や内燃機関の形状などによって種々の形状に形成されるものである。したがって、いずれの場合も、その内部に空気の流路を有することから、内部全体に連通する通気路を有する略筒状に形成されている。この本体を形成するにあたっては、ブロー成形をはじめとし、その他に射出成形、押出成形などを行う。本体を形成する材料は、ＰＰ、高密度ＰＥ、低密度ＰＥ、ガラス繊維入りＰＰ、タルク入りＰＰ、タルク及びガラス繊維入りＰＰ、ＰＡ、ＰＥＴ等を用いる。本体の少なくとも開口先端の周壁の厚みは、２〜３ｍｍであることが好ましい。この場合には、開口先端の剛性が高くなり、通気性部材の保持力が高まる。
【００２９】
通気口は、本体の周壁の少なくとも一部に形成されていて内外を連通させている。通気口は、本体の形状や吸気騒音の程度に応じて所望の位置や形状に形成することができる。かかる形状としては、四角形、円形、楕円形などがある。
【００３０】
通気口を囲む周壁の開口先端は、本体の周壁の一部を外周方向に突出させた突出壁に形成されている。突出壁の突出量は、７〜１２ｍｍであることが好ましい。７ｍｍ未満の場合には、弾性部材の嵌合部の嵌合量が少なく、弾性部材が開口先端から抜け出るおそれがある。１２ｍｍを超える場合には、スペース面や材料コスト面で不具合が生じるおそれがある。通気口の開口先端は、たとえば、突出壁を突出方向に縮径されたテーパ形状をもつ。この突出壁の傾斜角度は、通気口の中心線に対して１０〜２０°であることが好ましい。１０°未満の場合には、通気性部材を保持する力が弱くなるおそれがあり、２０°を超える場合には、弾性部材を嵌合させにくくなるおそれがある。
【００３１】
かかる突出壁をもつ本体を形成するにあたっては、上記のようにパリソンを押出し、金型に配置し、ブロー成形する。ブロー成形品は、本体を構成する大筒部と、大筒部の周壁に突出させ突出壁を構成する小筒部とを一体に有する中空成形品である。小筒部の上部は、切断除去し、その切断端部には通気口が開口する開口先端が形成される。また、開口先端は本体の周壁に突出壁のない部分に通気口を開口させてもよい。
【００３２】
通気性部材は、本体外部の空気を本体内部に通過させる際のフィルタとして寄与する部材であるため、多孔質に形成されるものである。通気性部材は、たとえば、各種材質の繊維、紙あるいは発泡体などから形成されたものを用いることができるが、ＰＥＴ、ＰＡなどの熱可塑性樹脂から形成された不織布あるいは織布、編布などが好ましい。熱可塑性樹脂製の不織布は、通気口が複雑な形状であっても、熱プレス成形などによって通気口の開口に応じた形状に容易に適合させることができる。
【００３３】
通気性部材は、周壁に嵌合された弾性部材に、外周端を係合させることにより保持される。このため、通気性部材は、ある程度の剛性を有することがよく、面重量(単位面積当たりの重さ)は５００〜１０００ｇ／ｍ２であることが好ましい。５００ｇ／ｍ２未満の場合には、剛性が低下するおそれがあり、１０００ｇ／ｍ２を越える場合には通気性部材の内部の隙間が小さくなり、通気性が低下し、吸気脈動圧力の低減不足となるおそれがある。
【００３４】
弾性部材は、本体の周壁の開口先端に嵌合される嵌合部と、通気口に対向する内周壁に形成され通気性部材の外周端を係合させている係合溝とをもつ。嵌合部は、その開口先端の通気口側に嵌合される通気口側嵌合面と、開口先端の外周側に嵌合される外周側嵌合面とをもつ。通気口側嵌合面は、通気口に対向する内周壁に形成されている。外周側嵌合面は、開口先端の外周側に配設される外側壁部に形成されている。
【００３５】
通気口側嵌合面にはシールリップが突設されている。シールリップは、音漏れ防止のため、通気口側嵌合面に周方向全体にリング状に形成されていることが好ましく、１つのリング状体から構成されていてもよいし、複数のリング状体から構成されていてもよい。
【００３６】
弾性部材の通気口に対向する内周壁は、通気性部材の外周端が係合される係合溝をもつ。係合溝は、内周壁の通気性部材の外側面を保持する外側保持部と、内周壁の通気性部材の内側面を保持する内側保持部とにより囲まれて形成されている。外側保持部は、通気性部材の保持力向上の点からは、弾性部材の全周に連続して形成されていることが好ましいが、通気性部材の係合溝への係合しやすさの点からは、弾性部材の全周に所定の間隔をおいて複数に配設されていることが好ましい。また、内側保持部は、通気性部材を安定して保持するため、弾性部材の全周にわたって連続して形成されていることが好ましい。
【００３７】
内周壁の本体側端部は、周壁と略同一の高さとなることが好ましい。この場合には、周壁とほぼ面一になり、本体を通過する吸気の乱流を低減できる。
【００３８】
内周壁には、通気性部材の外周端を係合させる係合溝が形成されている。係合溝は、内周壁の本体に近接した位置に形成されていることが好ましい。この場合、周壁とほぼ面一になり、本体を通過する吸気の乱流を低減できる。
【００３９】
弾性部材は、開口先端の内周面及び外周面に嵌合される。したがって、弾性部材は、内周側に配設された内側壁部と、外周側に配設された外側壁部と、内側壁部と外側壁部とを連結する連結部とをもつ。開口先端が本体の周壁の突出壁に形成されている場合には、内側壁部が、通気口と対向する内周壁となる。開口先端が、本体の周壁と略同一面上に形成されている場合には、開口先端の最先端に嵌合している連結部が内周壁となる。
【００４０】
弾性部材は、ゴム、熱可塑性エラストマーなどを用いて、射出成形、圧縮成形などにより形成される。
【実施例】
【００４１】
本発明の実施例について図面を参照して説明する。
【００４２】
（実施例１）
本例の吸気装置は、図１に示すように、吸気ダクトであり、内燃機関に導入される空気の流路４を構成する略筒状の本体６を有する。本体６は、略筒状に形成され、一端が流入口６１となり、他端が流出口６２となる。図１，図２，図３に示すように、本体６の周壁２の一部には、外方に向かって突出した突出壁２１が形成され、突出方向に向かって縮径されたテーパ形状をもち、その傾斜角度α（図４）は７５°である。この突出壁２１の内周側には本体６の内外を連通する通気口４１が形成されている。通気口４１は、弾性部材１を介設して組み付けられた通気性部材３により塞がれている。図４に示すように、突出壁２１の突出量Ｔは１０ｍｍであり、厚みｔは２．５ｍｍである。通気口４１は、大きさ９ｃｍ×５ｃｍの長方形状である。
【００４３】
通気性部材３は、ＰＥＴからなる繊維を板状に熱プレス成形して形成した不織布であり、その面重量（単位面積当たりの重さ）は８４０ｇ／ｃｍ２である。
【００４４】
図３〜図６に示すように、弾性部材１は、長方形に開口した通気口４１を囲むように形成された長方形状の枠体であり、開口先端２２の内周面２２ａと外周面２２ｂとを囲むように開口先端２２の全周にわたってリング状に形成された嵌合部１０をもつ。すなわち、嵌合部１０は、リング溝であり、開口先端２２の内周面２２ａに当接される通気口側嵌合面１０ａと、開口先端２２の外周面２２ｂに当接される外周側嵌合面１０ｂとからなる。通気口側嵌合面１０aは、開口先端２２の内周面２２aに当接するようリング状に３箇所突設されたシールリップ１９を有する。
【００４５】
図３に示すように、弾性部材１は、開口先端２２よりも内側に配設される内側壁部であって通気口４１に対向する内周壁１１と、開口先端２２よりも外側に配設される外側壁部１４と、内周壁１１と外側壁部１４とを連結する連結部１５とからなる。内周壁１１には通気口側嵌合面１０ａが、外側壁部１４には外周側嵌合面１０ｂが形成されている。また、図５、図６に示すように、弾性部材１を開口先端２２の係合溝１２へ挿着させやすくするため、弾性部材１のコーナー部における外側壁部１４と連結部１５との境界部分には、面取り部１４ａが形成されている。
【００４６】
図３に示すように、係合溝１２は、内周壁１１の通気性部材３の外周端３１の外側面３１ａを保持する外側保持部１１aと、その外周端３１の内側面３１ｂを保持する内側保持部１１ｂとにより囲まれて形成されている。外側保持部１１ａと内側保持部１１ｂは、内周壁１１の内周面１１ｄよりも内方に突出している。図５、図６に示すように、外側保持部１１aは、長方形枠体である弾性部材１の４つの各辺に突設されており、各辺の長さに等しい長さをもつ。内側保持部１１ｂは、通気性部材３を安定して保持するため、弾性部材１の全周にわたって連続して形成されている。
【００４７】
次に、吸気ダクトの製造方法について説明する。まず、吸気ダクトの本体をブロー成形する。具体的には、図７に示すように、成形機のヘッドからパリソンを押出し、金型の成形部に配置し、ノズルから成形部にブローを吹き込み、長方形状の大筒部２５と、大筒部２５よりも小さく側面２６１がテーパ形状の小筒部２６とからなり、大筒部２５と小筒部２６とが袋状に連結した断面形状をもつ中空成形品を成形する。次に、小筒部２６の側面２６１を切断工具７で切断する。また、中空成形品の通路の上流側と下流側を切断して通路を開口させる。これにより、吸気の通路４が形成された本体６を構成する周壁２と、周壁２から延設され外方に突出した突出壁２１とが形成される。
【００４８】
次に、図８に示すように、弾性部材１は、ゴムを用いて射出成形法により形成する。また、通気性部材３は、ＰＥＴ繊維を熱プレス成形して長方形状の薄板状不織布を形成する。次に、本体６の周壁２の突出壁２１の開口先端２２に、弾性部材１の嵌合部１０を嵌め込む。次に、弾性部材１の係合溝１２に、通気性部材３の外周端３１を係合させる。この嵌合部１０の開口先端２２へのはめ込み、係合溝１２への通気製部材３の係合は、手作業または機械的に行う。
【００４９】
本例においては、本体６の通気口４１を通気性部材３により塞ぐにあたって、本体６の周壁２の開口先端２２に弾性部材１を嵌合し、弾性部材１の通気口４１に対向する内周壁１１に通気性部材３の外周端３１を係合している。このため、熱溶着を行うことなく、通気性部材３を開口先端２２に組み付けて通気口４１を塞ぐことができる。
【００５０】
また、通気口４１の開口先端２２と通気性部材３との間に弾性部材１が介設されることになる。ゆえに、車両走行時などの振動によって、ガタツキ音が生じることはない。
【００５１】
また、開口先端２２や通気性部材３に寸法誤差などが生じても、ゴムからなる弾性部材１が寸法誤差を吸収するため、通気性部材３を開口先端２２に組み付けることができる。
【００５２】
通気口４１が、本体６の周壁２から外周方向に突出した突出壁２１の開口先端２２に形成されている。そのため、弾性部材1が開口先端２２から抜け出ることを防止でき、シール部分が大きくなる。
【００５３】
突出壁２１は、突出方向に向かって縮径されたテーパ形状をもつ。このため、外周側から通気性部材３を確実に保持することができ、通気性部材３が抜け出ることが抑制される。
【００５４】
また、テーパ形状の突出壁２１を形成するにあたっては、パリソンをブローして、本体成形用の大筒部２５から、膨出方向に縮径した台形状の小筒部２６を膨出させればよい。このため、従来のように膨出先端が拡径したキノコ状の突出壁を成形する場合に比べて、突出壁に要される材料が少なくてすみ、材料費用を削減できる。また、大筒部２５から台形状の小筒部２６を膨出させた吸気ダクト用成形体には、鋭角状に窪むいわゆるアンダーカット部がない。このため、分割型の型割の自由度が向上する。
【００５５】
弾性部材１の嵌合部１０にシールリップ１９を形成し、シールリップ１９を開口先端２２の通気口４１に対向する内周壁１１に当接させている。開口先端２２の内周面２２ａは弾性部材１を介設して通気性部材３によって押圧される面である。この内周面２２aに対して弾性部材１のシールリップ１９を当接させることによって、シールリップ１９が通気性部材３によって押圧されて強く内側当接面２２ａに押し当てられる。したがって、弾性部材１が開口先端２２に対して嵌合され、開口先端２２と弾性部材１との隙間からの音漏れを抑制できる。
【００５６】
（実施例２）
本例においては、図９に示すように、弾性部材１の嵌合部１０が、本体６の突出壁２１の下部２１ｃまで嵌合されており、弾性部材１の内周壁１１の下面１１ｃが突出壁２１の下部２１ｃと略同一の高さに位置している。その他の構成は、実施例１と同様である。
【００５７】
本例においては、弾性部材の下面１１ｃが突出壁２１の下部２１ｃと略同一の高さをもつため、突出壁２１への嵌合部１０の嵌合量を多くすることができ、弾性部材１が突出壁２１に確実に保持される。このため、弾性部材１が突出壁２１から抜け出ることが抑制される。
【００５８】
（実施例３）
本例においては、図１０に示すように、通気性部材３を係合する係合溝１２が、弾性部材１の下部１ｂに配設されている。係合溝１２を囲む外側保持部１１ａ及び内側保持部１１ｂは、内周壁１１の内周面１１ｄから突出せず、内周壁１１の内周面１１ｄ全体が通気口４１の深さ方向と平行に形成されている。その他の構成は、実施例２と同様である。
【００５９】
本例においては、通気性部材３を係合する係合溝１２が、弾性部材１の下部１ｂに配設されている。このため、通気性部材３が、本体６の周壁２とほぼ同一な高さに位置することになり、吸気に乱流が生じにくくなる。
【００６０】
（実施例４）
本例においては、図１１に示すように、通気性部材３を外側から保持する外側保持部１１aが、長方形状の弾性部材１の各辺に所定の間隔をおいて複数配設されている点が、実施例１と相違する。外側保持部１１ａと内側保持部１１ｂとに囲まれた部分に、係合溝１２が所定の間隔をおいて形成されることになる。係合溝１２へ通気性部材３を係合させるにあたって、外側保持部１１ａが通気性部材３の外周端３１に押圧されて変形しやすくなり、係合溝１２へ係合させやすくなる。
【００６１】
（実施例５）
本例においては、図１２に示すように、本体６の周壁２に突出壁がなく、弾性部材１が周壁２の通路４の周方向に沿って開口先端２２に嵌合されている点が、実施例１と相違する。弾性部材１の通路４側には内側壁部１６が、外周側には外側壁部１８が形成され、内側壁部１６と外側壁部１８とは、内周壁１７により連結されている。内周壁１７は、通気性部材３の外周端３１を係合させる係合溝１２が形成されている。また、弾性部材１は、開口先端２２に嵌合される嵌合部１０をもち、その内周壁１７側の通気口側嵌合面１０ａには、シールリップ１９がリング状に複数突設されている。本例においても、本体６の開口先端２２に弾性部材１を嵌合し、弾性部材１に通気性部材３を係合することによって、通気性部材３を本体６に組みつけている。このため、熱溶着を行う必要がなく、簡素に組み付け作業を行うことができる。また、本体６の開口先端２２に、弾性部材１を介設させて通気性部材３を組みつけているため、ガタツキ音の発生を抑制できる。
【図面の簡単な説明】
【００６２】
【図１】実施例１の吸気装置の斜視図である。
【図２】実施例１の吸気装置の径方向断面図である。
【図３】実施例１の弾性部材の断面図である。
【図４】実施例１の吸気装置の寸法を示す説明図である。
【図５】実施例１の弾性部材の上側からみた斜視図（ａ）及び下側からみた斜視図（ｂ）である。
【図６】実施例１の弾性部材の平面図である。
【図７】実施例１の、本体形成用の中空成形品の径方向断面図である。
【図８】実施例１の、弾性部材を用いて本体に通気性部材を組み付ける方法を示す説明図である。
【図９】実施例２の吸気ダクトの拡大断面図である。
【図１０】実施例３の吸気ダクトの拡大断面図である。
【図１１】実施例４の弾性部材の平面図である。
【図１２】実施例５の吸気ダクトの刑法工断面図である。
【図１３】他の従来例の吸気ダクトの径方向断面図である。
【図１４】他の従来例の吸気ダクトの製造方法を示す説明図である。
【図１５】従来例の吸気ダクトの断面図である。
【符号の説明】
【００６３】
１：弾性部材、２：周壁、３：通気性部材、４：流路、６：本体、１０：嵌合部、１１、１７：内周壁、１２：係合溝、１４，１８：外側壁部、１５、：連結部、１６：内側壁部、１９：シールリップ、２１：突出壁、２２：開口先端、３１：外周端、４１：通気口
【図１】
2008240694.tif 000003
【図２】
2008240694.tif 000004
【図３】
2008240694.tif 000005
【図４】
2008240694.tif 000006
【図５】
2008240694.tif 000007
【図６】
2008240694.tif 000008
【図７】
2008240694.tif 000009
【図８】
2008240694.tif 000010
【図９】
2008240694.tif 000011
【図１０】
2008240694.tif 000012
【図１１】
2008240694.tif 000013
【図１２】
2008240694.tif 000014
【図１３】
2008240694.tif 000015
【図１４】
2008240694.tif 000016
【図１５】
2008240694.tif 000017